(57)【要約】【課題】表示装置の小型化を図る。【解決手段】両面が平坦な液晶表示モジュール３０と背面が平坦な中継基板４０とを背面同士で密着させてフロントケース２２とバックケース２６とにより液晶表示モジュール３０と中継基板４０とを狭持するよう両ケース２２，２６を嵌合して組み付ける。これにより、板金などを別途必要とすることなしに液晶表示モジュール３０をフロントケース２２に固定することができる。この結果、装置をより小型化することができる。【選択図】図３
2009217212.tif 000002
【特許請求の範囲】
【請求項１】
前面に表示面が形成され、両面が平坦な表示モジュールと、
前記表示モジュールに画面を表示させるための少なくとも一部の電子部品が実装され、背面が平坦な基板と、
前記表示モジュールの前面に当接され、前記表示面を視認可能に形成された前面ケースと、
前記前面ケースに背面側から嵌合して前記表示モジュールと前記基板とを収容する背面ケースと、
を備え、
前記表示モジュールの背面と前記基板の背面とを密着させた状態で該表示モジュールと該基板とを狭持するよう前記前面ケースと前記背面ケースと嵌合することにより該基板で該表示モジュールを該前面ケースに押し当てて固定する
ことを特徴とする表示装置。
【請求項２】
前記基板は、前記電子部品のうち発熱を伴って駆動する発熱部品が略中央に実装されてなる請求項１記載の表示装置。
【請求項３】
前記発熱部品は、電源電圧を電圧変換して前記表示モジュールの発光素子に供給する電圧変換回路である請求項２記載の表示装置。
【請求項４】
前記背面ケースと前記基板との間にクッション部材が介在されてなる請求項１ないし３いずれか１項に記載の表示装置。
【発明の詳細な説明】
【技術分野】
【０００１】
本発明は、表示装置に関する。
【背景技術】
【０００２】
従来、この種の表示装置としては、液晶パネルを固定するためのパネル固定用板金に押し返し片を形成し、形成した押し返し片に補助基板をスライド挿入して補助基板をパネル固定用板金に固定したものものが提案されている（例えば、特許文献１参照）。この装置では、パネル固定用板金を用いて液晶表示パネルを固定すると共に補助基板を固定している。
【特許文献１】特開２００７−１１６５５６号公報
【発明の開示】
【発明が解決しようとする課題】
【０００３】
しかしながら、上述した表示装置では、パネル固定用の板金を配置するから、部品点数が多くなると共に装置の厚み方向のサイズが大きくなり、装置全体が大型化してしまう。
【０００４】
本発明の表示装置は、装置の小型化を図ることを主目的とする。
【課題を解決するための手段】
【０００５】
本発明の表示装置は、上述の主目的を達成するために以下の手段を採った。
【０００６】
本発明の表示装置は、
前面に表示面が形成され、両面が平坦な表示モジュールと、
前記表示モジュールに画面を表示させるための少なくとも一部の電子部品が実装され、背面が平坦な基板と、
前記表示モジュールの前面に当接され、前記表示面を視認可能に形成された前面ケースと、
前記前面ケースに背面側から嵌合して前記表示モジュールと前記基板とを収容する背面ケースと、
を備え、
前記表示モジュールの背面と前記基板の背面とを密着させた状態で該表示モジュールと該基板とを狭持するよう前記前面ケースと前記背面ケースと嵌合することにより該基板で該表示モジュールを該前面ケースに押し当てて固定する
ことを特徴とする。
【０００７】
この本発明の表示装置では、前面に表示面が形成され両面が平坦な表示モジュールの背面と表示モジュールに画面を表示させるための少なくとも一部の電子部品が実装され背面が平坦な基板の背面とを密着させた状態で表示モジュールと基板とを狭持するよう前面ケースと背面ケースとを嵌合することにより基板で表示モジュールを前面ケースに押し当てて固定する。したがって、表示モジュールを固定するための板金などを別途設ける必要がないから、厚み方向のサイズを小さくすることができる。この結果、装置をより小型化することができる。「表示モジュール」としては、例えば、液晶表示モジュールを挙げることができる。
【０００８】
こうした本発明の表示装置において、前記基板は、前記電子部品のうち発熱を伴って駆動する発熱部品が略中央に実装されてなるものとすることもできる。こうすれば、電子部品が発熱に伴って基板に反りが生じるものとしても、基板から表示モジュールに部分的に強い圧力が作用するのを抑制することができる。この場合、前記発熱部品は、電源電圧を電圧変換して前記表示モジュールの発光素子に供給する電圧変換回路であるものとすることもできる。
【０００９】
また、本発明の表示装置において、前記背面ケースと前記基板との間にクッション部材が介在されてなるものとすることもできる。こうすれば、基板と表示モジュールとの接触面の圧力を略均一とすることができる。
【発明を実施するための最良の形態】
【００１０】
次に、本発明を実施するための最良の形態を図面を用いて説明する。図１は、本発明の表示装置２０を搭載するフォトプリンタ１０の外観を示す外観斜視図であり、図２は、表示装置２０の外観を示す外観斜視図であり、図３は、表示装置２０の分解斜視図である。
【００１１】
本実施形態のフォトプリンタ１０は、図示するように、プリンタ本体１２の上面の中央に設けられた液晶ディスプレイとしての表示装置２０と、プリンタ本体１２の上面の表示装置２０周辺に配置された操作系１４と、プリンタ本体１２の上面の奥の一辺に開閉自在に取り付けられ閉状態で操作系１４を覆うカバー１６と、プリンタ本体１２に内蔵された印刷機構（図示せず）と、プリンタ本体１２の前面を開閉可能な前面扉１８と、プリンタ本体１２の前面側に設けられメモリカードＭを挿入可能なメモリカードスロット１９とを備える。印刷機構は、図示しないが、用紙を副走査方向に搬送してキャリッジを主走査方向に往復動させながら印刷ヘッドからインクを吐出することにより印刷を行なうインクジェット方式の機構として構成されている。
【００１２】
操作系１４は、図１に示すように、電源のオンオフを行なうための電源ボタン１４ａ、印刷機能に関する複数の選択肢が並んだメインメニュー画面を呼び出すためのメニューボタン１４ｂ、操作を途中でキャンセルしたり用紙への印刷を途中で中断したりするためのキャンセルボタン１４ｃ、用紙への印刷実行を指示するための印刷ボタン１４ｄ、メモリカードスロット１９に挿入されたメモリカードＭに編集画像等を保存するための保存ボタン１４ｅ、表示装置２０に表示された複数の選択肢の中から所望の選択肢を選択したりカーソルを移動したり画像枠の大きさを変更するときに操作される環状に配置された上下左右の各矢印ボタン１４ｆ〜１４ｉ、この上下左右の各矢印ボタン１４ｆ〜１４ｉの中央に配置され各矢印ボタン１４ｆ〜１４ｉによって選択されている選択肢に決定したことを指示するためのＯＫボタン１４ｊなどにより構成されている。例えば、ユーザがメインメニュー画面で項目「写真選択」を選択すると、表示装置２０にはメモリカードＭに保存されている写真画像が同一画面に複数枚表示されたりページ送り形式で表示されたりする。これらの写真画像の中からユーザが矢印ボタン１４ｆ〜１４ｉを使用してカーソルを所望の写真画像に動かしてＯＫボタン１４ｊを押すと、その写真画像が印刷対象画像として選択設定されたとみなされる。続いて、ユーザがメインメニュー画面で項目「用紙／レイアウト」を選択すると、表示装置２０には用紙種類の選択や印刷部数の設定などが可能な画面が表示されるので、ユーザは所望の用紙種類を選択し所望の印刷部数を設定する。その後、ユーザが印刷ボタン１４ｄを押したときには、その印刷対象画像が所望の用紙に所望の印刷部数印刷される。また、ユーザがメインメニュー画面の項目「写真選択」で印刷対象画像を選択設定し、項目「用紙／レイアウト」で用紙種類や印刷部数を設定するという作業を繰り返し行ったあと印刷ボタン１４ｄを押したときには、各印刷対象画像がそれぞれに設定された内容（用紙、印刷部数）で印刷される。
【００１３】
カバー１６は、プリンタ本体１２の上面を覆うことのできる大きさに成形された樹脂板であり、開状態では操作系１４の表面を外部に露出し（図１参照）、閉状態では操作系１４を覆う。このカバー１６は、表示装置２０と同じ大きさの窓１６ａを備えており、カバー１６が閉状態のときにはユーザはこの窓１６ａを介して表示装置２０の表示内容を確認することができる。更に、カバー１６は、開状態のときに操作系１４に対して斜め後方に傾斜した状態で保持されるようになっている。このため、開状態のカバー１６の裏面は、用紙を印刷機構へ供給するためのトレイとして利用可能である。また、操作系１４の奥には、印刷機構の給紙口１７が設けられ、この給紙口１７には、ガイド幅が用紙の幅に合うように左右方向にスライド操作される一対の用紙ガイド１７ａ，１７ｂが設けられている。
【００１４】
前面扉１８は、プリンタ本体１２の前面を開閉するための蓋であり、開状態のときには、プリンタ本体１２の前面から排紙される用紙を受けるための排紙トレイとして機能すると共に、プリンタ本体１２の前面に設けられた各種のメモリカードスロット１９をユーザが利用可能な状態とする。
【００１５】
本実施形態の表示装置２０は、図２に示すように、底部に形成された回転軸２１を中心として回転して傾斜の角度を変更できるようになっている。この表示装置２０は、図３に示すように、フロントケース２２と、バックケース２６と、液晶表示モジュール３０と、液晶表示モジュール３０に電気的に接続されると共に図示しない主基板に電気的に接続された中継基板４０とを備え、フロントケース２２とバックケース２６とにより液晶表示モジュール３０と中継基板４０とを狭持するよう両ケース２２，２６を嵌合することにより組み付けられている。図４はフロントケース２２の外観を示す外観斜視図であり、図５はバックケース２６の外観を示す外観斜視図であり、図６は液晶表示モジュール３０の外観を示す外観斜視図であり、図７は中継基板４０の外観を示す外観斜視図であり、図８は中継基板４０を背面側から見た外観を示す外観斜視図であり、図９は液晶表示モジュール３０と中継基板４０との電気的な接続関係を示すブロック図である。
【００１６】
フロントケース２２は、図４に示すように、中央に液晶表示モジュール３０の表示面と略同一形状の開口部２３が形成され、周囲には複数の係合穴２４が形成（図４中では、上下左右端にそれぞれ２つずつ形成）されている。また、フロントケース２２には、液晶表示モジュール３０と中継基板４０とをフロントケース２２に配置したときに液晶表示モジュール３０と中継基板４０とをフロントケース２２の略中央に位置決めするための位置決め部２５が形成されている。
【００１７】
バックケース２６は、図５に示すように、フロントケース２２の複数の係合穴２４に対応する位置に同数の係合爪２８が形成されており、係合穴２４に係合爪２８が係合することにより、フロントケース２２と嵌合することができるようになっている。
【００１８】
液晶表示モジュール３０は、図６に示すように、前面に表示面３２が形成され前面と背面の両面が平坦な矩形形状のモジュールとして構成されており、帯状ケーブル３９を介して中継基板４０と電気的に接続できるようになっている。この液晶表示モジュール３０は、図９に示すように、発光ダイオード３４をバックライトとして用いるタイプの液晶ディスプレイとして構成されており、発振回路３６と、この発振回路３６からの出力電圧と発光ダイオード３４からの出力電圧とを入力すると共に両者を比較して駆動信号として出力するコンパレータ３８とを備える。
【００１９】
中継基板４０は、ＣＥＭ材などの硬質基板として構成されており、図９に示すように、主基板（図示せず）からの電源ラインに電源スイッチ４２を介して接続され、背面が平坦で（図８参照）、前面に液晶表示モジュール３０に給電するための電源回路として、コンパレータ３８からの駆動信号により駆動するトランジスタ４４ａを有し電源電圧をＤＣ−ＤＣ変換して液晶表示モジュール３０の発光ダイオード３４に供給するＤＣ／ＤＣコンバータ４４やＤＣ／ＤＣコンバータ４４の出力側に取り付けられたコンデンサＣ，コンパレータ３８の出力側とＤＣ／ＤＣコンバータ４４のトランジスタ４４ａのベースとの間に接続された抵抗Ｒ１，発光ダイオード３４の出力側とグランドとの間に接続された抵抗Ｒ２，液晶表示モジュール３０の帯状ケーブル３９を接続するためのコネクタ４６，図示しない主基板からの帯状ケーブルを接続するためのコネクタ４８などの部品が取り付けられている。この中継基板４０には、本実施形態では、ＤＣ／ＤＣコンバータ４４が基板の略中央に位置するよう配置するものとした（図７参照）。この理由については後述する。
【００２０】
こうして構成された本実施形態の表示装置２０では、液晶表示モジュール３０の背面と中継基板４０の背面はいずれも平坦としており、これらをフロントケース２２とバックケース２６とを用いて組み付ける際には、図１０に示すように、帯状ケーブル３９をコネクタ４６に挿入して液晶表示モジュール３０と中継基板４０とを電気的に接続し、中継基板４０の前面にクッション材５０（例えば、ボロン材）を配置し、液晶表示モジュール３０と中継基板４０の背面同士を密着させて液晶表示モジュール３０と中継基板４０とを位置決め部２５で位置決めされるよう配置する。そして、バックケース２６で液晶表示モジュール３０および中継基板４０とを狭持するようフロントケース２２の係合穴２４にバックケース２６の係合爪２８を差し込むことにより行なうことができる。これにより、液晶表示モジュール３０は、中継基板４０によりフロントケース２２側に押し付けられて固定されることになる。従って、液晶表示モジュール３０の固定に別途板金を用いるものに比して、厚み方向のサイズを小さくすることができる。また、中継基板４０にはＤＣ／ＤＣコンバータ４４などのトランジスタ４４ａのスイッチングによって発熱する部品も実装されているが、前述したように、こうした発熱部品は基板の略中央に位置するよう配置したから、中継基板４０の熱膨張による変形は比較的均一なものとして現われ、中継基板４０の熱膨張により液晶表示モジュール３０にダメージを与えるほどの大きな圧力が加わることはない。
【００２１】
以上詳述した本実施形態の表示装置２０によれば、両面が平坦な液晶表示モジュール３０と背面が平坦な中継基板４０とを背面同士で密着させてフロントケース２２とバックケース２６とにより液晶表示モジュール３０と中継基板４０とを狭持するよう両ケース２２，２６を嵌合して組み付けるから、液晶表示モジュール３０を固定するための板金などを別途必要とすることなしに液晶表示モジュール３０をフロントケース２２に固定することができる。この結果、装置をより小型化することができる。しかも、中継基板４０とバックケース２６との間にクッション材５０を介在させるから、液晶表示モジュール３０を略均一な面圧でフロントケース２２に押し付けて固定することができる。さらに、中継基板４０に実装される部品のうち発熱を伴って駆動するＤＣ／ＤＣコンバータ４４（トランジスタ４２）を基板の略中央に配置するものとしたから、ＤＣ／ＤＣコンバータ４４の発熱による熱膨張が生じても液晶表示モジュール３０に部分的に大きな圧力が加わるのを抑制することができる。
【００２２】
本実施形態では、中継基板４０の発熱部品（ＤＣ／ＤＣコンバータ４４）を基板の略中央となるよう配置するものとしたが、中央に限られず、如何なる位置に配置するものとしてもよい。
【００２３】
本実施形態では、中継基板４０の材料としてＣＥＭ材を用いるものとしたが、硬質材料であればＦＲ材などの如何なる材料を用いるものとしてもよい。ただし、中継基板４０に発熱する部品が実装される場合には、できる限り熱膨張の少ない材料を選択することが望ましい。
【００２４】
本実施形態では、本発明の表示装置２０を搭載するフォトプリンタ１０として説明したが、これに限定されるものではなく、例えば、携帯電話機やＦＡＸ機，パーソナルコンピュータ，テレビション装置など他の如何なる機器に搭載するものとしてもよい。
【００２５】
以上、本発明の実施形態について説明したが、本発明は上述した実施形態に何ら限定されることはなく、本発明の技術的範囲に属する限り種々の態様で実施し得ることは勿論である。
【図面の簡単な説明】
【００２６】
【図１】本実施形態の表示装置２０を搭載するフォトプリンタ１０の外観斜視図。
【図２】表示装置２０の外観斜視図。
【図３】表示装置２０の分解斜視図。
【図４】フロントケース２２の外観斜視図。
【図５】バックケース２６の外観斜視図。
【図６】液晶表示モジュール３０の外観斜視図。
【図７】中継基板４０の外観斜視図。
【図８】中継基板４０を背面側から見た外観斜視図。
【図９】液晶表示モジュール３０と中継基板４０の電気的な接続関係を示す説明図。
【図１０】組み付け後の様子を示す説明図。
【符号の説明】
【００２７】
１０  フォトプリンタ、１２  プリンタ本体、１４  操作系、１６  カバー、１６ａ  窓、１７  給紙口、１７ａ，１７ｂ  用紙ガイド、１８  前面扉、１９  メモリカードスロット、２０  表示装置、２１  回転軸、２２  フロントケース、２３  表示枠、２４  係合穴、２５  位置決め部、２６  バックケース、２８  係合爪、３０  液晶表示モジュール、３２、表示面、３４  発光ダイオード、３６  発振回路、３８  コンパレータ、３９  帯状ケーブル、４０  中継基板、４２  電源スイッチ、４４  ＤＣ／ＤＣコンバータ、４４ａ  トランジスタ、４６，４８  コネクタ、５０  クッション材。
【図１】
2009217212.tif 000003
【図２】
2009217212.tif 000004
【図３】
2009217212.tif 000005
【図４】
2009217212.tif 000006
【図５】
2009217212.tif 000007
【図６】
2009217212.tif 000008
【図７】
2009217212.tif 000009
【図８】
2009217212.tif 000010
【図９】
2009217212.tif 000011
【図１０】
2009217212.tif 000012